(57)【要約】【目的】  面格子とサッシ枠の間隙を幅調整可能にしてサッシ戸を取外し可能にした面格子の取付構造を提供する。【構成】  壁の開口部に取りつけられるサッシ枠と、そのサッシ枠の外側に取りつけられる長尺の第１ブラケットおよび第２ブラケットと、該ブラケットを介してとりつけられる面格子とからなり、上記サッシ枠の、左右のサッシ枠の取付片には第１ブラケットの一方側に形成している略Ｕ字状の挿入部が挿着されており、該ブラケットの他方側には、第２ブラケットの一方側が幅方向調整可能に固定具で連結されており、さらに該第２ブラケットの他方側には面格子のたて枠が固定されていることを特徴とする面格子の取付構造。【選択図】    図１
0003102620.tif 000002
【実用新案登録請求の範囲】
【請求項１】
壁の開口部に取りつけられるサッシ枠と、そのサッシ枠の外側に取りつけられる長尺の第１ブラケットおよび第２ブラケットと、該ブラケットを介してとりつけられる面格子とからなり、上記サッシ枠の、左右のサッシ枠の取付片には第１ブラケットの一方側に形成している略Ｕ字状の挿入部が挿着されており、該ブラケットの他方側には、第２ブラケットの一方側が幅方向調整可能に固定具で連結されており、さらに該第２ブラケットの他方側には面格子のたて枠が固定されていることを特徴とする面格子の取付構造。
【請求項２】
面格子はルーバ面格子であり、第１ブラケットおよび第２ブラケットの長さは、面格子のたて枠の長さ程度であり、さらに第２ブラケットには幅方向調整のための長孔が形成されており、第１ブラケットには該長孔に挿入される固定用ネジが取りつけられていることを特徴とする請求項１記載の面格子の取付構造。
【考案の詳細な説明】
【技術分野】
【０００１】本考案は面格子の取付構造の改良に関する。
【背景技術】
【０００２】従来面格子の取付構造は、壁の開口部にとりつけられるサッシ枠の外側には面格子がＬ型の固定具を介してとりつけられる。
詳述すれば面格子の左右のたて枠の上下方向にＬ型固定金具の一片がボルト等の止具により固定され、該固定具の他の一片がサッシ枠の取付片に固定される。
【考案の開示】
【考案が解決しようとする課題】
【０００３】上記の構成では固定の強度は実用的に満足しているが、サッシ枠と面格子とがピース状の固定具による固定であり、そのために本体が開閉できるルーバ面格子であっても、固定具側からサッシ等の内側が露出状態であり、防犯上好ましくない。また見栄え、デサイン的にも満足できない。さらにまたサッシ枠と面格子との間隙が小さくサッシ戸、網戸等の取外し作業ができなく、それゆえに汚れた状態での使用となり、非衛生的であった。本考案はかかる問題点を解決した、実用価値のある面格子の取付構造を提供する。
【課題を解決するための手段】
【０００４】本考案はつぎの特徴を備えている。
その一つは「壁の開口部に取りつけられるサッシ枠と、そのサッシ枠の外側に取りつけられる長尺の第１ブラケットおよび第２ブラケットと、該ブラケットを介してとりつけられる面格子とからなり、上記サッシ枠の、左右のサッシ枠の取付片には第１ブラケットの一方側に形成している略Ｕ字状の挿入部が挿着されており、該ブラケットの他方側には、第２ブラケットの一方側が幅方向調整可能に固定具で連結されており、さらに該第２ブラケットの他方側には面格子のたて枠が固定されていることを特徴とする面格子の取付構造」である。【０００５】その２つは上記構成において「面格子はルーバ面格子であり、第１ブラケットおよび第２ブラケットの長さは、面格子のたて枠の長さ程度であり、さらに第２ブラケットには幅方向調整のための長孔が形成されており、第１ブラケットには該長孔に挿入される固定用ネジが取りつけられていることを特徴とする面格子の取付構造」である。
【考案の効果】
【０００６】本考案の面格子の取付構造は、上記の構成を備えているので次の効果を奏する。
第１ブラケットと第２ブラケットが長尺で、面格子のたて枠の長さ程度の長さを有しているので、面格子とサッシ枠との側面の間隙が隠蔽され、正面は従来同様ルーバ羽によって隠蔽され、よって家の内部が露出することがなく防犯上優れている。【０００７】また第１ブラケットと第２ブラケットが幅方向の調整が可能であるので、サッシ枠と面格子との間隙が調整でき、サッシ戸、網戸等の清掃の際には間隙を広げて容易に取り外しができるので、常に衛生的である。さらに間隙の調整は気候による室内の換気、外気の出入れにもメリットがある。
さらにまた長尺のブラケットであるので、ピースに比べて強度がある。
【考案を実施するための最良の形態】
【０００８】本考案の実施形態を図面を用いて以下に説明する。
図１〜図４において、１は壁の開口部にとりつけられるサッシ枠で、その外面側に取付片１ａが折曲形成されている。２は面格子で、後述のブラケットを介してサッシ枠の外側に取りつけられている。２ａたて枠、２ｂは横枠、２ｃは開閉可能に形成されている公知のルーバ羽である。【０００９】３は長尺の第１ブラケットで、面格子のたて枠の長さと同程度の長さを有している。３ａはその一方側に折曲形成している略Ｕ字状の挿入部で、サッシ枠の取付片１ａに挿着される。
４は長尺の第２ブラケットで、第１ブラケットと同様の長さを有し、言わば面格子のたて枠の長さと同程度である。４ａは該ブラケットの一方側を折曲形成した面格子たて枠への取付部、４ｂは幅方向に形成している長孔で、長手方向に沿って数個形成している。４ｃは止具で、面格子のたて枠２ａに第２ブラケットの取付部４ａを固定している。【００１０】５は第１ブラケットと第２ブラケットとを連結固定する固定具であり、ネジボルト（固定用ねじ）５ａとナット５ｂ（図示は蝶ナット）からなり、ネジボルト５ａを第１ブラケットの他端側において第２ブラケットの長孔に合致する位置に固着している。両ブラケットの連結固定はネジボルト５ａを長孔４ｂに挿入し、幅調整してナット５ｂで締着する。通常は図３に示しているように両ブラケットを重ねて、サッシ枠と面格子の間隙を小さくしている。この状態ではブラケットが２重になり剛性が大である。
しかしてサッシ戸を外側に外す場合には、ネジボルトのナットの固定を緩めて上記の間隙を広げ、その間隙から下側に降ろせばよい。
以上好ましい実施例について説明しているが、本考案の技術思想を逸脱しない範囲の設計変更は可能である。
【図面の簡単な説明】
【００１１】
【図１】本考案面格子の取付構造の一実施例を示す要部斜視図。
【図２】同じく図１に示す面格子取付構造の略平面図で、サッシ枠と面格子との間隙を広げた状態を示す。
【図３】同じく図２に示すサッシ枠と面格子を連結固定している第１ブラケットおよび第２ブラケットの取付状態を示す要部拡大断面図で、ブラケット同士を重ねた状態を示す。
【図４】図３の状態に対して、ブラケット同士を広げた状態を示す要部拡大断面図である。
【符号の説明】
【００１２】１    サッシ枠
１ａ  取付片
２    面格子
２ａ  たて枠
２ｂ  横枠
２ｃ  ルーバ羽
３    第１ブラケット
３ａ  挿入部
４    第２ブラケット
４ａ  取付部
４ｂ  長孔
４ｃ  止具
５    固定具
５ａ  ネジボルト（固定用ネジ）
５ｂ  ナット
【図１】
0003102620.tif 000003
【図２】
0003102620.tif 000004
【図３】
0003102620.tif 000005
【図４】
0003102620.tif 000006